(57)【要約】【課題】  簡単な構造でバッテリセルの積層方向およびそれに直交する方向のガタつきを確実に防止する。【解決手段】  複数のバッテリセル１１の積層方向両端に一対のエンドプレート１３Ａ，１３Ｂを重ね合わせ、拘束部材１４の両端部を一対のエンドプレート１３Ａ，１３Ｂの側壁１３ａにボルト１５で締結する。このとき、相互に当接する拘束部材１４の端部およびエンドプレート１３Ａ，１３Ｂの側壁１３ａの少なくとも一方は締結方向に対して傾斜する第１傾斜面１３ｃ，１４ｃを備えるので、ボルト１５の締結力により一対の拘束部材１４が相互に接近する方向に移動する荷重Ｆ１を、第１傾斜面１３ｃ，１４ｃにより一対のエンドプレート１３Ａ，１３Ｂが相互に接近する方向に移動する荷重Ｆ２に変換することで、一対のエンドプレート１３Ａ，１３Ｂ間に複数のバッテリセル１１を挟みつけて積層方向のガタの発生を防止し、バッテリモジュールＭの耐振性を高めることができる。【選択図】        図３
2013235727.tif 000002
【特許請求の範囲】
【請求項１】
一対の主面（１１ａ）と、前記一対の主面（１１ａ）に直交する一対の側面（１１ｂ）と、前記一対の主面（１１ａ）および前記一対の側面（１１ｂ）に直交する頂面（１１ｃ）および底面（１１ｄ）とを有し、前記主面（１１ａ）どうしを相互に対向させて積層される複数のバッテリセル（１１）と；
前記バッテリセル（１１）の積層方向両端に重ね合わされる一対のエンドプレート（１３Ａ，１３Ｂ）と；
一方の前記エンドプレート（１３Ａ）の一対の側壁（１３ａ）と他方の前記エンドプレート（１３Ｂ）の一対の側壁（１３ａ）とに両端部が接続されて前記バッテリセル（１１）の側面（１１ｂ）に対向する複数の拘束部材（１４）と；
前記拘束部材（１４）の両端部を前記側壁（１３ａ）に積層方向に対して交差する締結方向に締結する締結部材（１５）と；
を備えるバッテリモジュールにおいて、
相互に当接する前記拘束部材（１４）の端部および前記エンドプレート（１３Ａ，１３Ｂ）の前記側壁（１３ａ）の少なくとも一方は前記締結方向に対して傾斜する第１傾斜面（１３ｃ，１４ｃ）を備え、前記締結部材（１５）により前記一対の拘束部材（１４）が相互に接近する方向に移動する荷重を、前記第１傾斜面（１３ｃ，１４ｃ）により前記一対のエンドプレート（１３Ａ，１３Ｂ）が相互に接近する方向に移動する荷重に変換することを特徴とするバッテリモジュール。
【請求項２】
前記拘束部材（１４）は積層方向に長いボルト孔（１４ｄ）を備え、前記締結部材（１５）は前記ボルト孔（１４ｄ）を貫通するボルト（１５）であることを特徴とする、請求項１に記載のバッテリモジュール。
【請求項３】
前記拘束部材（１４）は、前記バッテリセル（１１）の前記側面（１１ｂ）および前記頂面（１１ｃ）間の角部と、前記バッテリセル（１１）の前記側面（１１ｂ）および前記底面（１１ｄ）間の角部とに直接あるいは間接に当接する第２傾斜面（１４ｅ）を備え、前記締結部材（１５）により前記一対の拘束部材（１４）が相互に接近する方向に移動する荷重を、前記バッテリセル（１１）の前記角部を積層方向に直交する方向に押さえつける荷重に変換することを特徴とする、請求項１または請求項２に記載のバッテリモジュール。
【請求項４】
前記複数のバッテリセル（１１）はホルダ（１２）を挟んで積層され、前記第２傾斜面（１４ｅ）と前記バッテリセル（１１）の角部との間に前記ホルダ（１２）が介在することを特徴とする、請求項３に記載のバッテリモジュール。
【請求項５】
前記一方のエンドプレート（１３Ａ）の側壁（１３ａ）は、それに隣接するホルダ（１２）に向かって相互の間隔が狭まるように傾斜する一対の第３傾斜面（１３ｅ）を備えるとともに、前記他方のエンドプレート（１３Ｂ）の側壁（１３ａ）は、それに隣接するホルダ（１２）に向かって相互の間隔が広がるように傾斜する一対の第４傾斜面（１３ｆ）を備え、
前記ホルダ（１２）は、前記一方のエンドプレート（１３Ａ）に向かって相互の間隔が広がるように傾斜する一対の第４傾斜面（１２ｅ）を備えるとともに、前記他方のエンドプレート（１３Ｂ）に向かって相互の間隔が狭まるように傾斜する一対の第３傾斜面（１２ｄ）を備え、
一つの前記ホルダ（１２）の第３傾斜面（１２ｄ）は、他の前記ホルダ（１２）の第４傾斜面（１２ｅ）あるいは前記他方のエンドプレート（１３Ｂ）の第４傾斜面（１３ｆ）に当接し、一つの前記ホルダ（１２）の第４傾斜面（１２ｅ）は、他の前記ホルダ（１２）の第３傾斜面（１２ｄ）あるいは前記一方のエンドプレート（１３Ａ）の第３傾斜面（１３ｅ）に当接することを特徴とする、請求項４に記載のバッテリモジュール。
【発明の詳細な説明】
【技術分野】
【０００１】
本発明は、積層される複数のバッテリセルと、前記バッテリセルの積層方向両端に重ね合わされる一対のエンドプレートと、一方の前記エンドプレートの一対の側壁と他方の前記エンドプレートの一対の側壁とに両端部が接続されて前記バッテリセルの側面に対向する複数の拘束部材と、前記拘束部材の両端部を前記側壁に積層方向に対して交差する締結方向に締結する締結部材とを備えるバッテリモジュールに関する。
【背景技術】
【０００２】
複数のセパレータ（ホルダ）を相互に嵌合するように積層し、隣接する２個のセパレータ間に形成される収納空間のそれぞれに電池セルを収納し、それらのセパレータおよび電池セルの積層方向両端に重ね合わせた一対のエンドプレートを車体に固定することで、セパレータ、電池セルおよびエンドプレートを一体化して電池パックを構成するものが、下記特許文献１により公知である。
【先行技術文献】
【特許文献】
【０００３】
【特許文献１】特開２００８−１６６１９１号公報
【発明の概要】
【発明が解決しようとする課題】
【０００４】
ところで、上記特許文献１に記載されたものは、一対のエンドプレートがそれぞれ車体に固定されているだけであり、積層された複数のセパレータおよび複数の電池セルを積層方向に締めつける荷重が作用しないため、セパレータおよび電池セル間に積層方向のガタが発生する可能性があるだけでなく、電池セルが隣接する２個のセパレータ間に形成される収納空間に収納されるだけなので、セパレータに対して電池セルが上下方向や左右方向にガタつく可能性があった。
【０００５】
また一対のエンドプレートを通しボルト等で相互に接近する方向に締めつけることで、ホルダおよびバッテリセルの積層方向のガタを防止するものも知られているが、このような構造を採用してバッテリセルの積層方向のガタを防止しても、バッテリセルの上下方向や左右方向にガタを確実に防止することは困難であった。
【０００６】
本発明は前述の事情に鑑みてなされたもので、簡単な構造でバッテリセルの積層方向およびそれに直交する方向のガタを確実に防止することを目的とする。
【課題を解決するための手段】
【０００７】
上記目的を達成するために、請求項１に記載された発明によれば、一対の主面と、前記一対の主面に直交する一対の側面と、前記一対の主面および前記一対の側面に直交する頂面および底面とを有し、前記主面どうしを相互に対向させて積層される複数のバッテリセルと；前記バッテリセルの積層方向両端に重ね合わされる一対のエンドプレートと；一方の前記エンドプレートの一対の側壁と他方の前記エンドプレートの一対の側壁とに両端部が接続されて前記バッテリセルの側面に対向する複数の拘束部材と；前記拘束部材の両端部を前記側壁に積層方向に対して交差する締結方向に締結する締結部材と；を備えるバッテリモジュールにおいて、相互に当接する前記拘束部材の端部および前記エンドプレートの前記側壁の少なくとも一方は前記締結方向に対して傾斜する第１傾斜面を備え、前記締結部材により前記一対の拘束部材が相互に接近する方向に移動する荷重を、前記第１傾斜面により前記一対のエンドプレートが相互に接近する方向に移動する荷重に変換することを特徴とするバッテリモジュールが提案される。
【０００８】
また請求項２に記載された発明によれば、請求項１の構成に加えて、前記拘束部材は積層方向に長いボルト孔を備え、前記締結部材は前記ボルト孔を貫通するボルトであることを特徴とするバッテリモジュールが提案される。
【０００９】
また請求項３に記載された発明によれば、請求項１または請求項２の構成に加えて、前記拘束部材は、前記バッテリセルの前記側面および前記頂面間の角部と、前記バッテリセルの前記側面および前記底面間の角部とに直接あるいは間接に当接する第２傾斜面を備え、前記締結部材により前記一対の拘束部材が相互に接近する方向に移動する荷重を、前記バッテリセルの前記角部を積層方向に直交する方向に押さえつける荷重に変換することを特徴とするバッテリモジュールが提案される。
【００１０】
また請求項４に記載された発明によれば、請求項３の構成に加えて、前記複数のバッテリセルはホルダを挟んで積層され、前記第２傾斜面と前記バッテリセルの角部との間に前記ホルダが介在することを特徴とするバッテリモジュールが提案される。
【００１１】
また請求項５に記載された発明によれば、請求項４の構成に加えて、前記一方のエンドプレートの側壁は、それに隣接するホルダに向かって相互の間隔が狭まるように傾斜する一対の第３傾斜面を備えるとともに、前記他方のエンドプレートの側壁は、それに隣接するホルダに向かって相互の間隔が広がるように傾斜する一対の第４傾斜面を備え、前記ホルダは、前記一方のエンドプレートに向かって相互の間隔が広がるように傾斜する一対の第４傾斜面を備えるとともに、前記他方のエンドプレートに向かって相互の間隔が狭まるように傾斜する一対の第３傾斜面を備え、一つの前記ホルダの第３傾斜面は、他の前記ホルダの第４傾斜面あるいは前記他方のエンドプレートの第４傾斜面に当接し、一つの前記ホルダの第４傾斜面は、他の前記ホルダの第３傾斜面あるいは前記一方のエンドプレートの第３傾斜面に当接することを特徴とするバッテリモジュールが提案される。
【００１２】
尚、実施の形態のサイドプレート１４は本発明の拘束部材に対応し、実施の形態のボルト１５は本発明の締結部材に対応する。
【発明の効果】
【００１３】
請求項１の構成によれば、積層された複数のバッテリセルの積層方向両端に一対のエンドプレートを重ね合わせ、一方のエンドプレートの一対の側壁と他方のエンドプレートの一対の側壁とを複数の拘束部材で接続すべく、拘束部材の両端部を締結部材でエンドプレートの側壁に積層方向に対して交差する締結方向に締結する。このとき、相互に当接する拘束部材の端部およびエンドプレートの側壁の少なくとも一方は締結方向に対して傾斜する第１傾斜面を備えるので、締結部材により一対の拘束部材が相互に接近する方向に移動する荷重を、第１傾斜面により一対のエンドプレートが相互に接近する方向に移動する荷重に変換することで、一対のエンドプレート間に複数のバッテリセルを挟みつけて積層方向のガタの発生を防止し、バッテリモジュールの耐振性を高めることができる。
【００１４】
また請求項２の構成によれば、拘束部材は積層方向に長いボルト孔を備えるので、締結部材としてのボルトがボルト孔を貫通してエンドプレートの側壁に螺合するとき、一対のエンドプレートが相互に接近する方向に移動しても、ボルトを支障なくエンドプレートの側壁に螺合することができる。
【００１５】
また請求項３の構成によれば、拘束部材は、バッテリセルの側面および頂面間の角部と、バッテリセルの側面および底面間の角部とに直接あるいは間接に当接する第２傾斜面を備えるので、締結部材により一対の拘束部材が相互に接近する方向に移動する荷重を、バッテリセルの角部を積層方向に直交する方向に押さえつける荷重に変換し、バッテリセルが積層方向に対して直交する上下方向および左右方向にガタつくのを防止することができる。
【００１６】
また請求項４の構成によれば、複数のバッテリセルはホルダを挟んで積層され、拘束部材の第２傾斜面とバッテリセルの角部との間にホルダが介在するので、バッテリモジュールがバッテリセル間に挟まれたホルダを備える場合であっても、ホルダおよびバッテリセルの両方が上下方向および左右方向にガタつくのを防止することができる。
【００１７】
また請求項５の構成によれば、一方のエンドプレートの側壁は隣接するホルダに向かって相互の間隔が狭まるように傾斜する一対の第３傾斜面を備えるとともに、他方のエンドプレートの側壁は隣接するホルダに向かって相互の間隔が広がるように傾斜する一対の第４傾斜面を備え、ホルダは、一方のエンドプレートに向かって相互の間隔が広がるように傾斜する一対の第４傾斜面と、他方のエンドプレートに向かって相互の間隔が狭まるように傾斜する一対の第３傾斜面を備え、一つのホルダの第３傾斜面が、他のホルダの第４傾斜面あるいは他方のエンドプレートの第４傾斜面に当接し、一つのホルダの第４傾斜面が、他のホルダの第３傾斜面あるいは一方のエンドプレートの第３傾斜面に当接するので、各ホルダが他方のエンドプレート側から順番に左右方向に締めつけられることで、ホルダおよびバッテリセルが左右方向にガタつくのを一層確実に防止することができる。
【図面の簡単な説明】
【００１８】
【図１】バッテリモジュールの斜視図。（第１の実施の形態）
【図２】バッテリモジュールの分解斜視図。（第１の実施の形態）
【図３】図１の３方向矢視図。（第１の実施の形態）
【図４】図３に対応する作用説明図。第１の実施の形態）
【図５】図３の５−５線断面図。（第１の実施の形態）
【図６】図４の要部に対応する図。（第２および第３の実施の形態）
【発明を実施するための形態】
【第１の実施の形態】
【００１９】
以下、図１〜図５に基づいて本発明の第１の実施の形態を説明する。
【００２０】
図１および図２に示すように、電気自動車やハイブリッド自動車の電源装置として使用されるバッテリモジュールＭは、積層方向に積層された所定個数（実施の形態では１２個）のバッテリセル１１…を備える。各バッテリセル１１は直方体状に形成され、相互に対向する一対の主面１１ａ，１１ａと、主面１１ａ，１１ａに対して直交して相互に対向する一対の側面１１ｂ，１１ｂと、主面１１ａ，１１ａおよび側面１１ｂ，１１ｂに対して直交して相互に対向する頂面１１ｃおよび底面１１ｄとを備えており、頂面１１ｃには正負の電極１１ｅ，１１ｅが設けられる。
【００２１】
尚、本明細書において、積層方向に直交してバッテリセル１１の頂面１１ｃおよび底面１１ｄを結ぶ方向を上下方向と定義し、積層方向に直交してバッテリセル１１の一対の側面１１ｂ，１１ｂを結ぶ方向を左右方向と定義する。
【００２２】
１２個のバッテリセル１１…の主面１１ａ…と、合成樹脂で構成された１１個の四角い板状のホルダ１２…とが交互に重ね合わされ、積層方向両端の２個のバッテリセル１１，１１の外面に一対の金属製のエンドプレート１３Ａ，１３Ｂが重ね合わされる。この状態で、一対の金属製の板材よりなるサイドプレート１４，１４をバッテリセル１１…の一対の側面１１ｂ…に沿うように装着し、一対のサイドプレート１４，１４の両端部をそれぞれ２本のボルト１５，１５で一対のエンドプレート１３Ａ，１３Ｂの側壁１３ａ…に締結することで、バッテリセル１１…、ホルダ１２…、エンドプレート１３Ａ，１３Ｂおよびサイドプレート１４，１４が一体に組み立てられる。
【００２３】
各エンドプレート１３Ａ，１３Ｂは、左右一対の側壁１３ａ，１３ａを備えており、各側壁１３ａは積層方向および上下方向に延びる締結面１３ｂと、締結面１３ｂの積層方向外端から左右方向内側に傾斜する第１傾斜面１３ｃとを備える。各締結面１３ｂには、上下一対のねじ孔１３ｄ，１３ｄが形成される。一対のエンドプレート１３Ａ，１３Ｂの形状は僅かに異なっており、一方のエンドプレート１３Ａは、左右の締結壁１３ｂ，１３ｂの積層方向内側の端部に、バッテリセル１１…に向かって相互に接近する方向に傾斜する第３傾斜面１３ｅ，１３ｅ（図３参照）が形成され、他方のエンドプレート１３Ｂは、左右の締結壁１３ｂ，１３ｂの積層方向内側の端部に、バッテリセル１１…に向かって相互に離反する方向に傾斜する第４傾斜面１３ｆ，１３ｆ（図３参照）が形成される。
【００２４】
一対のサイドプレート１４，１４は同一形状の部材であり、平坦な本体部１４ａには多数の肉抜き孔１４ｂ…が上下方向に延びるスリット状に形成される。本体部１４ａの積層方向両端部には、エンドプレート１３Ａ，１３Ｂの第１傾斜面１３ｃ，１３ｃと平行に延びる第１傾斜面１４ｃ，１４ｃが形成される。第１傾斜面１４ｃ，１４ｃに隣接する本体部１４ａには、２本のボルト１５，１５が貫通するボルト孔１４ｄ，１４ｄが積層方向に細長く形成される。また本体部１４ａの上縁および下縁には、左右方向内向きに傾斜する上下一対の第２傾斜面１４ｅ，１４ｅが形成される。
【００２５】
ホルダ１２は波板状の本体部１２ａの四隅から突出する４個のバッテリセル支持部１２ｂ…を備えており、これらのバッテリセル支持部１２ａ…がバッテリセル１１の四隅に係合することで、ホルダ１２の内部にバッテリセル１１が支持される。ホルダ１２の各バッテリセル支持部１２ｂには、サイドプレート１４の第２傾斜面１４ｅと平行に傾斜して該第２傾斜面１４ｅに当接可能な第２傾斜面１２ｃ（図５参照）が形成される。
【００２６】
またバッテリセル支持部１２ｂは、一方のエンドプレート１３Ａ側の端部に、このエンドプレート１３Ａの第３傾斜面１３ｅと平行な第４傾斜面１２ｅ（図３参照）が形成されるとともに、他方のエンドプレート１３Ｂ側の端部に、このエンドプレート１３Ｂの第３傾斜面１３ｄと平行な第４傾斜面１２ｅ（図３参照）が形成される。
【００２７】
次に、上記構成を備えた本発明の第１の実施の形態の作用を説明する。
【００２８】
図３および図４に示すように、一対のエンドプレート１３Ａ，１３Ｂの間に１２個のバッテリセル１１…および１１個のホルダ１２…を交互に配置した状態で、それらの左右両側から一対のサイドプレート１４，１４を当てがい、それらのボルト孔１４ｄ…を貫通する合計８本のボルト１５…をエンドプレート１３Ａ，１３Ｂの側壁１３ａ…の締結面１３ｂ…のねじ孔１３ｄ…に螺合する。
【００２９】
ボルト１５…を締め込むと一対のサイドプレート１４，１４が相互に接近する方向に移動し、やがてサイドプレート１４，１４の第１傾斜面１４ｃ…が一対のエンドプレート１３Ａ，１３Ｂの第１傾斜面１３ｃ…に当接する。これらのサイドプレート１４，１４の第１傾斜面１４ｃ…およびエンドプレート１３Ａ，１３Ｂの第１傾斜面１３ｃ…は積層方向および左右方向に対して傾斜しているため、ボルト１５…による左右方向の締結荷重Ｆ１は、これらの第１傾斜面１４ｃ…，１３ｃ…に直交する方向の締めつけ荷重Ｆ２に変換され、この締めつけ荷重Ｆ２の積層方向の分力によって一対のエンドプレート１３Ａ，１３Ｂが相互に接近する方向に付勢され、バッテリセル１１…およびホルダ１２…を一対のエンドプレート１３Ａ，１３Ｂ間に挟み付けて積層方向のガタの発生を防止することができる。
【００３０】
このとき、一対のエンドプレート１３Ａ，１３Ｂはボルト１５…と共に相互に接近する方向に移動するが、ボルト１５…が貫通するサイドプレート１４，１４のボルト孔１４ｄ…は積層方向の長い長孔であるため、エンドプレート１３Ａ，１３Ｂの移動を吸収してサイドプレート１４，１４の撓み変形を防止することができる。
【００３１】
また、図５に示すように、一対のサイドプレート１４，１４が相互に接近する方向に移動すると、それらの上下縁に形成した第２傾斜面１４ｅ…は、ホルダ１２…のバッテリセル支持部１２ｂ…の四隅に形成した第２傾斜面１２ｃ…に当接する。これらの第２傾斜面１４ｅ…，１２ｃ…は左右方向および上下方向に対して傾斜しているため、ボルト１５…による左右方向の締結荷重Ｆ１は、これらの第２傾斜面１４ｅ…，１２ｃ…に直交する方向の締めつけ荷重Ｆ３に変換され、この締めつけ荷重Ｆ３によってホルダ１２…のバッテリセル支持部１２ｂ…は相互に接近する方向に付勢され、上下方向間隔および左右方向間隔が狭まるように圧縮される。これにより、ホルダ１２…およびその内部に支持されたバッテリセル１１…を締めつけて上下方向および左右方向のガタの発生を防止することができる。
【００３２】
更に、図３に示すように、一対のエンドプレート１３Ａ，１３Ｂが前記締めつけ荷重Ｆ２により相互に接近する方向に付勢されるとき、その積層方向の成分である締めつけ荷重Ｆ４によって、他方のエンドプレート１３Ｂに対して、それに隣接する１番目のホルダ１２が押し付けられる。その結果、ホルダ１２のバッテリセル支持部１２ｂ，１２ｂの第３傾斜面１２ｄ，１２ｄが他方のエンドプレート１３Ｂの第４傾斜面１３ｆ，１３ｆに当接し、その反力Ｆ５でホルダ１２の左右のバッテリセル支持部１２ｂ，１２ｂが相互に接近する方向に締めつけられる。
【００３３】
また他方のエンドプレート１３Ｂから２番目のホルダ１２の一対の第３傾斜面１２ｄ，１２ｄは、１番目のホルダ１２の一対の第４傾斜面１２ｅ，１２ｅに押し付けられ、その反力で２番目のホルダ１２の一対のバッテリセル支持部１２ｂ，１２ｂは相互に接近する方向に締めつけられ、この繰り返しで全てのホルダ１２…の一対のバッテリセル支持部１２ｂ，１２ｂは相互に接近する方向に締めつけられる。その結果、ホルダ１２…と、その内部に収納されたバッテリセル１１…との間の左右方向のガタの発生を一層確実に防止することができる。
【００３４】
以上のように、本実施の形態によれば、一対のエンドプレート１３Ａ，１３Ｂを特別の通しボルト等を用いて相互に接近する方向に締めつけることなく、サイドプレート１４，１４をエンドプレート１３Ａ，１３Ｂに固定するボルト１５…の締結力を利用して一対のエンドプレート１３Ａ，１３Ｂを相互に接近する方向に締めつけ、部品点数を削減してコストダウンに寄与しながら、バッテリセル１１…およびホルダ１２…の積層方向のガタを防止してバッテリモジュールＭの耐振性を高めることができる。
【００３５】
しかも、ボルト１５…の締結力を利用してホルダ１２…の四隅のバッテリセル支持部１２ｂ…を内向きに締めつけ、バッテリセル１１…およびホルダ１２…を左右方向および上下方向のガタを防止することが可能となり、バッテリモジュールＭの耐振性を高めることができる。
【第２および第３の実施の形態】
【００３６】
次に、図６に基づいて本発明の第２および第３の実施の形態を説明する。
【００３７】
第１の実施の形態では、エンドプレート１３Ａ，１３Ｂの第１傾斜面１３ｃ，１３ｃと、サイドプレート１４の第１傾斜面１４ｃ，１４ｃとを当接させているが、図６（Ａ）に示す第２の実施の形態では、サイドプレート１４の第１傾斜面１４ｃ，１４ｃを廃止し、その代わりに傾斜していない当接部１４ｃ′，１４ｃ′を設けている。また図６（Ｂ）に示す第３の実施の形態では、エンドプレート１３Ａ，１３Ｂの第１傾斜面１３ｃ，１３ｃを廃止し、その代わりに傾斜していない当接部１３ｃ′，１３ｃ′を設けている。即ち、エンドプレート１３Ａ，１３Ｂおよびサイドプレート１４，１４の少なくとも一方に第１傾斜面１３ｃ，１３ｃ，１４ｃ，１４ｃを設ければ、ボルト１５…による左右方向の締結力Ｆ１を積層方向の締めつけ力Ｆ２に変換することができる。
【００３８】
以上、本発明の実施の形態を説明したが、本発明はその要旨を逸脱しない範囲で種々の設計変更を行うことが可能である。
【００３９】
例えば、実施の形態ではサイドプレート１４の第２傾斜面１４ｅ，１４ｅがホルダ１２を介してバッテリセル１１を締めつけているが、サイドプレート１４の第２傾斜面１４ｅ，１４ｅでバッテリセル１１を直接締めつけても良い。
【００４０】
また本発明の拘束部材は、実施の形態のサイドプレート１４，１４のような板状の部材に限定されず、棒状の部材であっても良い。また拘束部材の数は左右各１個に限定されず、左右各複数個であっても良い。
【符号の説明】
【００４１】
１１        バッテリセル
１１ａ      主面
１１ｂ      側面
１１ｃ      頂面
１１ｄ      底面
１２        ホルダ
１２ｄ      第３傾斜面
１２ｅ      第４傾斜面
１３Ａ      エンドプレート
１３Ｂ      エンドプレート
１３ａ      側壁
１３ｃ      第１傾斜面
１３ｅ      第３傾斜面
１３ｆ      第４傾斜面
１４        サイドプレート（拘束部材）
１４ｃ      第１傾斜面
１４ｄ      ボルト孔
１４ｅ      第２傾斜面
１５        ボルト（締結部材）
【図１】
2013235727.tif 000003
【図２】
2013235727.tif 000004
【図３】
2013235727.tif 000005
【図４】
2013235727.tif 000006
【図５】
2013235727.tif 000007
【図６】
2013235727.tif 000008